(57)【要約】【課題】弾性片が座屈変形することを防止するシールドコネクタを提供する。【解決手段】シールド電線１１に接続される端子金具１０と、端子金具１１が挿入されるキャビティ３３を有するコネクタハウジング３０と、キャビティ３３を包囲するシールドシェル６０と、シールドシェル６０の端部に設けられシールド電線１１の接続部１９Ｂに接触する接点部６７を備えた弾性片６５とを備えたシールドコネクタにおいて、弾性片６５には、接点部６７よりも後方側において折り返された折り返し部６６と、その折り返し部６６の先端側にＬ字曲げ部７０とが設けられ、コネクタハウジング３０にはＬ字曲げ部７０を受ける段差部４９が設けられている。【選択図】図７
2011146236.tif 000002
【特許請求の範囲】
【請求項１】
シールド電線に接続される端子金具と、前記端子金具が挿入されるキャビティを有するコネクタハウジングと、前記コネクタハウジングに前記キャビティを包囲するように収容される金属製のシールドシェルと、前記シールドシェルのうち前記端子金具が前記キャビティに挿入される側の端部から延出して前記シールド電線のシールド部に設けられた接続部に接触する接点部を備えた弾性片とを備えたシールドコネクタにおいて、
前記弾性片には、前記接点部よりも前記キャビティの後方側において外側に折り返された折り返し部と、その折り返し部の先端側において前記キャビティの中心側に向かって曲げられたＬ字曲げ部とが設けられ、
前記コネクタハウジングには、前記Ｌ字曲げ部を前記キャビティの先端側において受ける段差部が設けられていることを特徴とするシールドコネクタ。
【請求項２】
前記コネクタハウジングには、前記段差部に連なって前記折り返し部を収容して前記キャビティの軸方向に延びる収容溝が形成されていることを特徴とする請求項１記載のシールドコネクタ。
【請求項３】
前記弾性片にはその両側部に前記コネクタハウジングに設けられた規制部に当接することで前記弾性片が前記キャビティの中心側に向かって過度撓みすることを規制する突片が設けられていることを特徴とする請求項１又は請求項２記載のシールドコネクタ。
【発明の詳細な説明】
【技術分野】
【０００１】
本発明は、コネクタハウジング内に収容されるシールドシェルを備えたシールドコネクタに関する。
【背景技術】
【０００２】
従来、シールドコネクタとしては、例えば特許文献１に記載されたものが公知である。このシールドコネクタは、コネクタハウジング内に金属製のシールドシェルを備え、そのシールドシェルの端部にはシールド電線の編組線に設けられた接続部を弾性的に挟持する弾性片が折り返し状に形成されている。シールド電線に接続された端子金具をコネクタハウジングに装着すると、接続部が弾性片に挟持されて電気的に導通状態となってコネクタハウジング内がシールドされる。
【先行技術文献】
【特許文献】
【０００３】
【特許文献１】特開平７−２６３０８２号公報
【発明の概要】
【発明が解決しようとする課題】
【０００４】
ところが、従来のシールドコネクタでは、コネクタハウジング内に端子金具を挿入する際に、芯ずれして挿入されたり、斜めに挿入されたりすると、端子金具やシールド電線の接続部が弾性片の後方突出部に当接して弾性片が先端に向かって押し込まれ、座屈変形することがあった。
【０００５】
本願発明は上記のような事情に鑑みて完成されたものであって、コネクタハウジング内に端子金具を挿入する際に、弾性片が座屈変形することを防止するシールドコネクタを提供することを目的とする。
【課題を解決するための手段】
【０００６】
上記の目的を達成するための手段として本発明は、シールド電線に接続される端子金具と、前記端子金具が挿入されるキャビティを有するコネクタハウジングと、前記コネクタハウジングに前記キャビティを包囲するように収容される金属製のシールドシェルと、前記シールドシェルのうち前記端子金具が前記キャビティに挿入される側の端部から延出して前記シールド電線のシールド部に設けられた接続部に接触する接点部を備えた弾性片とを備えたシールドコネクタにおいて、前記弾性片には、前記接点部よりも前記キャビティの後方側において外側に折り返された折り返し部と、その折り返し部の先端側において前記キャビティの中心側に向かって曲げられたＬ字曲げ部とが設けられ、前記コネクタハウジングには、前記Ｌ字曲げ部を前記キャビティの先端側において受ける段差部が設けられているところに特徴を有する。
【０００７】
このような構成のシールドコネクタにおいて、コネクタハウジングにシールド電線が装着された端子金具を組み付ける際に、端子金具が芯ずれして挿入されたり、斜めに挿入されたりすると、端子金具やシールド電線の接続部が弾性片の折り返し部に接触して弾性片が前方方向へ押し込まれた時には、Ｌ字曲げ部が段差部に突き当たってつかえた状態となり、その結果、弾性片の座屈変形を防止することができる。
【０００８】
本発明の実施の態様として、以下のような構成としてもよい。  
前記コネクタハウジングには、前記段差部に連なって前記折り返し部を収容して前記キャビティの軸方向に延びる収容溝が形成されている。このような構成によると、キャビティの内面と折り返し部との間に端子金具などが入り込むことができなくなる。これにより、弾性片がキャビティの中心部に向かって押出されることを防止することができる。
【０００９】
前記弾性片にはその両側部に前記コネクタハウジングに設けられた規制部に当接することで前記弾性片が前記キャビティの中心側に向かって過度撓みすることを規制する突片が設けられている。このような構成によると、弾性片がキャビティの中心部へ向かって押し込まれた場合においても、突片が規制部に当接して弾性片が撓み変形することを防止することができる。
【発明の効果】
【００１０】
本発明によれば、コネクタハウジング内にシールド電線が装着された端子金具を挿入する際に、弾性片が座屈変形することを防ぐシールドコネクタを提供することができる。
【図面の簡単な説明】
【００１１】
【図１】本発明の一実施形態であるコネクタハウジングの正面図
【図２】同側面図
【図３】同背面図
【図４】シールドシェルの斜視図
【図５】コネクタハウジングと端子金具との嵌合前状態を示す側断面図
【図６】コネクタハウジングと端子金具との嵌合完了状態を示す側断面図
【図７】折り返し部に端子金具が当接した状態を示す部分拡大断面図
【発明を実施するための形態】
【００１２】
以下、本発明の一実施形態を図１乃至図７によって説明する。  
本実施形態のコネクタは、シールド電線１１が接続される雌型の端子金具１０と、端子金具１０が装着される合成樹脂製のコネクタハウジング３０と、コネクタハウジング３０に収容される金属製のシールドシェル６０とを備えている。尚、以下の説明において「前」及び「後」とは、相手方コネクタに対して本発明のコネクタを嵌合させるための操作方向の先側及び後側をいう。
【００１３】
端子金具１０にはその前方に略角筒状を成し相手方コネクタに装着されるタブ状の端子（図示せず）を前方向から接続する接続部１２が形成され、後方にはシールド電線１１との接続を行うバレル１３，１４が設けられている。シールド電線１１は芯線１５の外側に内被覆部１６を有し、その外側にシールド部に相当する編組線１７と外被覆部１８とが被覆されている。シールド電線１１はその末端部の芯線１５を完全に露出された状態で端子金具１０のバレル１３でカシメることによって端子金具１０と導通状態に接続されている。そして、その後方位置において外被覆部１８のみを剥がして編組線１７を後方向に反転させた後に、その反転させた編組線１７を六角形の角筒状を成す金属製のシェルリング１９の中央部に設けられたカシメ部１９Ａでカシメることによって編組線１７とシェルリング１９とを導通状態に接続すると共にシェルリング１９をシールド電線１１に装着している。また、編組線１７の内側にはカシメる力が外被覆部１８の弾力によって吸収されないように下敷き用リング２０が予め装着されている。
【００１４】
コネクタハウジング３０は全体としては概ね略直方体状を成し、その前後は開口された状態に形成されている。コネクタハウジング３０にはその中央部から前方開口縁まではフード部３１が形成され、フード部３１の外壁は他の外壁に比べ全周に亘って拡幅した状態に形成されている。拡幅によって生じた後方側の面には円筒状を成してフード部３１の内外を連絡する二つの補助端子孔３２が後方向に延びるコネクタハウジング３０に沿った状態に形成されている。
【００１５】
フード部３１の後方に位置するコネクタハウジング３０の内面は後方開口縁よりやや前方の位置において僅かに狭くなった状態に形成され、その中央にはフード部３１の内部まで延びて端子金具１０を装着するキャビティ３３が横並びに二つ形成されている。両キャビティ３３の後方部はシェルリング１９が挿入できるように前方に比べてやや大きくて内面が円形状を成す支持枠体３４によって構成され、支持枠体３４にはキャビティ３３の並びと直交する方向に大きく開口した開口部３５が形成されている。
【００１６】
キャビティ３３にはその前方の内面に僅かに突出して端子金具１０を抜け止めするランス３６が撓み変形可能な状態に形成されている。ランス３６は端子金具１０が後方開口縁から挿入されるときにはキャビティ３３の外側に撓み変形し、端子金具１０が所定の位置まで挿入された時には撓み変形状態が解除され、端子金具１０と係合することで端子金具１０をコネクタハウジング３０から抜け止めする。
【００１７】
フード部３１にはその内部に相手方コネクタを収容して嵌合する嵌合部３７が形成されている。嵌合部３７はフード部３１内の中央に位置し、フード部３１の奥壁３８から前方開口縁に向かって真っ直ぐ延びた状態に形成されている。嵌合部３７の外面は奥壁３８から前方向に二段階に細くなった状態を成しており、その中央に位置する外面にはループ状にシール部材４０を取り付けるシール取付部３９が形成されている。後方の外面と中央の外面との間に位置する段付部４１にはその段付部４１からフード部３１の後方端部まで延びてフード部３１の奥壁３８を貫通する間隙孔４２が形成されている。間隙孔４２は嵌合部３７の長手方向側にそれぞれ横並びに二つ、短手方向側に一つ、四辺あわせて計６つ形成されている。
【００１８】
嵌合部３７の前方端面には相手方コネクタの端子を挿入する端子挿入孔４３が中心からやや外側にずれた位置に二つ横並びに形成されている。端子挿入孔４３がずれたことによって生じた領域には端子挿入孔４３と直交する状態にフード部３１の外部から延びる補助端子孔３２の一端が二つ並んだ状態に形成されている。そして、嵌合部３７の前方端面からは端子金具１０がランスに係止された後、ランス３６が外側に弾性変形することを防止する変形規制部４４Ａと、シール取付部３９に取り付けられるシール部材４０を抜け止めする止部４４Ｂとが設けられたリテーナ４４を取り付ける。
【００１９】
フード部３１内において嵌合部３７と対向する壁面の一端には図示しない相手方コネクタがフード部３１内に挿入されたときに相手方コネクタの外面に形成された係合爪と係合する係合部４５Ａが形成され、その係合部４５Ａはフード部３１の奥壁３８と一体に形成された支持部４６を支点とするロック片４５の先端に設けられている。ロック片４５はその後方端部がコネクタハウジング３０のフード部３１から後方に延びてコネクタハウジング３０から露出した状態に形成され、後方端部は押圧することでロック片４５を撓み変形させて相手方コネクタとの係合状態を解除する操作部４５Ｂとなっている。
【００２０】
一方、シールドシェル６０は全体としてはやや扁平な角筒状を成している。シールドシェル６０はその前方部がコネクタハウジング３０の嵌合部３７を包囲し、後方部が支持枠体３４を包囲するようにコネクタハウジング３０に収容されている。そして、その前方端部はコネクタハウジング３０の間隙孔４２を貫通して嵌合部３７の前面端部とほぼ同じ位置に配置し、後方端部はコネクタハウジング３０の後方縁部よりやや前方寄りに配置する。
【００２１】
シールドシェル６０はプレスによって打ち抜き形成した長方形の板状を成す金属板の両端を直角に折り曲げて断面がコ字状を成す細長い二つの枠片６１を形成し、その枠片６１を互いに向き合った状態に突き合わせることで構成している。そして、一方の枠片６１の設けられた嵌入片６１Ａを対応する他方の枠片に設けられた嵌入枠６１Ｂに挿入することによってそれら二つを一体化させている。
【００２２】
コネクタハウジング３０の嵌合部３７を包囲するシールドシェル６０の前方部はその先端が折り返された状態を成しており、その前方部の長手方向の両面には前方開口縁から後方向に真っ直ぐ延びてシールドシェル６０の前後方向約１／３長さ寸法の前方スリット６２が中央と両端との三箇所に形成され、短手方向の両面には長手方向の面の両端に形成された前方スリット６２と一体となる前方スリット６２が両端の二箇所に形成されている。そして、前方スリット６２の後方縁部はシールドシェル６０がコネクタハウジング３０に挿入されたときに間隙孔４２の間に位置する段付部４１と当接することでシールドシェル６０を前方向に抜け止めしている。
【００２３】
シールドシェル６０の前後方向中央部には長手方向の両面に内側方向且つ斜め前方向に向かって延びる係止片６３が間隔を空けて各二片形成されている。この係止片６３はシールドシェル６０がコネクタハウジング３０に挿入される時に間隙孔４２の後方縁部によって外側へ押し出されて弾性変形し、シールドシェル６０が所定の位置まで挿入されると弾性変形状態が解除されると共に、間隙孔４２の後方縁部の内側に形成された係止部４７に係止することで後方向に抜け止めしている。
【００２４】
シールドシェル６０の後方部には前方スリット６２と同程度の長さを有する弾性片６５がシールドシェル６０と一体に形成されている。弾性片６５はシールドシェル６０の長手方向の両面に設けられ、キャビティ３３の中心部に向かって山型状に屈曲することによって構成されている。そして、弾性片６５はコネクタハウジング３０のキャビティ３３の後方部である支持枠体３４の開口部３５に配置されることで後方部分のキャビティ３３を構成している。弾性片６５の山型状の頂点にはコネクタハウジング３０内へ端子金具１０を挿入したときにシェルリング１９の後方部に形成された接続部１９Ｂを弾性的に挟み込んで接触する接点部６７が形成され、接続部１９Ｂを挟み込む接点部６７どうしの間隔はシールド電線１１に装着されたシェルリング１９の外径より僅かに小さい状態に設定されている。これにより、コネクタハウジング３０のキャビティ３３に端子金具１０が完全に挿入されると、シールド電線１１に装着されたシェルリング１９の接続部１９Ｂはキャビティ３３内のシェルリング１９の配置空間において一対の弾性片６５の接点部６７に弾性的に挟み込まれ、接続部１９Ｂと接点部６７とが電気的に接続される。そして、コネクタハウジング３０内のシールドシェル６０とシールド電線１１の編組線１７とが電気的に導通状態となり、シールド電線１１からコネクタハウジング３０にかけてその内部がシールドされる。
【００２５】
さて、弾性片６５の後方端部には外側に向かって前方側に折り返された折り返し部６６がシールドシェル６０よりも僅かに外側において形成され、その前方側には折り返し部６６から前方向に真っ直ぐ延びる折り返し片６８が設けられている。折り返し片６８にはその両側面から突出する突片６９が形成され、突片６９を含めた折り返し片６８の横幅はその内側に位置する支持枠体３４の開口部３５の間隔よりも大きく形成されている。そして、折り返し片６８の先端部は接点部６７の外側の位置においてキャビティ３３の中心方向に向かって屈曲するＬ字曲げ部７０が形成されている。
一方、コネクタハウジング３０にはその後方部の内面を拡幅することによって後方縁部からＬ字曲げ部７０の前方端面より僅かに前方まで延びる収容溝４８が形成され、収容溝４８とコネクタハウジング３０の他の内面との間に形成された段差部４９はＬ字曲げ部７０と僅かな間隙を隔てて対向する状態に形成されている。また、突片６９から僅かな隙間を隔てた支持枠体３４の縁部には突片６９と当接することで弾性片６５がキャビティ３３の中心方向に向かって撓み変形することを防止する規制部５０が形成されている。
【００２６】
本実施形態のシールドコネクタはこのような構成であって、次にコネクタハウジング３０に端子金具１０を組み付ける際の作用を説明する。  
コネクタハウジング３０と端子金具１０との組み付けに際しては、まず、図６及び図７に示すように、コネクタハウジング３０の後方開口縁より、内部に形成されたキャビティ３３に端子金具１０を挿入する。
【００２７】
ところが、端子金具１０がキャビティ３３に対して芯ずれして挿入されたり、斜め方向から挿入されたりすると、端子金具１０の先端が弾性片６５の折り返し部６６に当接する。そして、端子金具１０が更に押し込まれて弾性片６５が前方向に押し込まれると、図７に示すように、弾性片６５が僅かに座屈した位置において弾性片６５のＬ字曲げ部７０がコネクタハウジング３０の段差部４９と当接してつかえた状態となる。これによって、弾性片６５が座屈変形に至ることを防止することができる。
また、端子金具１０の先端やシェルリング１９の前方端面が弾性片６５の折り返し部６６に斜め後方から当接して、弾性片６５がキャビティ３３の中心に向かって押出された時には、折り返し片６８の突片６９が規制部５０と当接し、弾性片６５がそれ以上に撓むことを規制する。
【００２８】
＜他の実施形態＞
本発明は上記記述及び図面によって説明した実施形態に限定されるものではなく、例えば次のような実施形態も本発明の技術的範囲に含まれる。
【００２９】
（１）上記実施形態では、コネクタハウジング３０に雌型の端子金具１０を組み付ける構成としたが、本発明は雄型の端子金具に適用することも可能である。  
（２）上記実施形態では、コネクタハウジング３０の後方部に収容溝４８を設けた構成としたが、本発明はこのような態様に制限されるものではく、コネクタハウジング３０に収容溝を設けなくてもよい。  
（３）上記実施形態では、補助端子孔２２を有する構成としたが、本発明はこのような態様に制限されるものではく、補助端子孔２２を有しなくてもよい。  
（４）上記実施形態では、弾性片６５の両側部に突片６９を設けた構成としたが、本発明はこのような態様に制限されるものではく、弾性片６５の両側部に突片を設けなくてもよい。
【符号の説明】
【００３０】
１０  ：端子金具
１１  ：シールド電線
１７  ：編組線(シールド部)
１９Ｂ：接続部
３０  ：コネクタハウジング
３３  ：キャビティ
４９  ：段差部
６０  ：シールドシェル
６５  ：弾性片
６６  ：折り返し部
６７  ：接点部
７０  ：Ｌ字曲げ部
【図１】
2011146236.tif 000003
【図２】
2011146236.tif 000004
【図３】
2011146236.tif 000005
【図４】
2011146236.tif 000006
【図５】
2011146236.tif 000007
【図６】
2011146236.tif 000008
【図７】
2011146236.tif 000009